(57)【要約】【課題】コンパクトな構造で、部品点数も少なくて済み、サッシ各部への組み付けも簡単な網戸ロック手段を備えた網戸付きサッシを提供する。【解決手段】サッシ枠２の縦枠２１の見込面には、網戸５の戸先部に呑み込まれる網戸閉合フィン２５と、外障子３の戸先部に呑み込まれる外障子閉合フィン２３とが、枠内側に張り出すように設けられる。網戸５の戸先部には、受け部材６が網戸閉合フィン２５の室内側に突き出すように取り付けられる。網戸閉合フィン２５と外障子閉合フィン２３とによって挟まれた縦枠２１の見込面には、受け部材６に係脱し得るロック部材７が取り付けられる。ロック部材７が、外障子３を閉じた状態で縦枠２１の見込面と外障子３の戸先部との隙間に納まり、受け部材６とロック部材７との係合部位が、網戸５を閉じた状態で縦枠２１の見込面と網戸５の戸先部との隙間に納まる。【選択図】図３
2020066906.tif 000002
【特許請求の範囲】
【請求項１】
サッシ枠の枠内に、障子および網戸が横引き可能に建て込まれて、前記網戸に取り付けられた受け部材と、前記サッシ枠に取り付けられたロック部材との係合によって前記網戸の移動が規制される網戸ロック手段を備えた網戸付きサッシであって、
前記サッシ枠の縦枠の見込面には、前記網戸を閉じたときに前記網戸の戸先部に呑み込まれる網戸閉合フィンと、前記障子を閉じたときに前記障子の戸先部に呑み込まれる障子閉合フィンとが、前記サッシ枠の枠内側に張り出すようにそれぞれ設けられ、
前記網戸の戸先部には、受け部材が前記網戸閉合フィンの室内側に突き出すように取り付けられる一方、
前記網戸閉合フィンと前記障子閉合フィンとによって挟まれた前記縦枠の見込面には、前記受け部材に係脱し得るロック部材が取り付けられており、
前記ロック部材が、前記障子を閉じた状態で、前記縦枠の見込面と前記障子の戸先部との隙間に納まるとともに、
前記受け部材と前記ロック部材との係合部位が、前記網戸を閉じた状態で、前記縦枠の見込面と前記網戸の戸先部との隙間に納まるように形成されている
ことを特徴とする網戸付きサッシ。
【請求項２】
請求項１に記載された網戸付きサッシにおいて、
前記受け部材の先端は室内側に向けて屈曲された受け片となされ、その受け片が前記網戸を閉じた状態で前記縦枠の見込面に当接するように形成される一方、
前記ロック部材は、前記縦枠の見込面に添設されるガイドピースと、前記ガイドピースに係合して上下方向に摺動するスライダとを具備し、
前記スライダの室外側の縁部に沿って、前記受け部材の前記受け片に係脱可能な係合片が形成されている
ことを特徴とする網戸付きサッシ。
【請求項３】
請求項２に記載された網戸付きサッシにおいて、
前記受け部材の前記受け片と前記ロック部材の前記スライダとの係合部位の横断面形状が上下方向について一様であり、
前記ロック部材における前記ガイドピースと前記スライダとの係合部位の横断面形状が上下方向について一様である
ことを特徴とする網戸付きサッシ。
【請求項４】
請求項２または３に記載された網戸付きサッシにおいて、
前記ロック部材の前記ガイドピースおよび前記スライダは、前記サッシ枠の枠内側から見たときに縦長矩形の外形をなし、
前記スライダは、前記サッシ枠の枠内側に指掛り突起が形成されている
ことを特徴とする網戸付きサッシ。
【請求項５】
請求項２〜４のいずれか一項に記載された網戸付きサッシにおいて、
前記ロック部材は、前記スライダを上昇させたときに前記受け部材に係合するように、前記縦枠に取り付けられている
ことを特徴とする網戸付きサッシ。
【請求項６】
請求項１〜５のいずれか一項に記載された網戸付きサッシにおいて、
前記受け部材は、前記網戸の戸先部に装着される取着基部を有し、
前記取着基部が、前記網戸を閉じた状態で前記網戸閉合フィンに干渉しないように取り付けられている
ことを特徴とする網戸付きサッシ。
【請求項７】
請求項１〜６のいずれか一項に記載された網戸付きサッシにおいて、
前記網戸付きサッシが引違い方式のサッシであり、
前記網戸の左右両側の戸先部に前記受け部材がそれぞれ取り付けられるとともに、
前記サッシ枠の左右両側の縦枠に前記ロック部材がそれぞれ取り付けられている
ことを特徴とする網戸付きサッシ。
【発明の詳細な説明】
【技術分野】
【０００１】
本願が開示する発明は、引違い窓や片引き窓等の横引方式で開閉される網戸付きサッシに関し、特に、網戸の開閉を簡易的にロックすることのできる手段を備えた網戸付きサッシに関する。
【背景技術】
【０００２】
建物の開口部を開閉するための建具として、引違い窓や片引き窓等のサッシが広く利用されている。その種のサッシにおいては、障子の室外側に網戸を重ねて建て込むことで、昆虫の侵入を防ぐことが多い。一般的な網戸は軽量のため、ガラスを嵌め込んだ障子に比べると、はるかに小さな力で横移動させることができる。強風を受けて網戸が勝手に移動（自走）することもあるので、かかる事態を防ぐため、例えば特許文献１、２等に、網戸の自走を規制するロック手段が提案されている。
【０００３】
これらの網戸ロック手段は、網戸の戸先框に受け部材を取り付ける一方、それに相対するサッシ枠の縦枠（竪枠）に可動式のロック部材（ストッパ）を取り付け、網戸を閉じた位置でロック部材を動かして受け部材に係合させることにより網戸を固定する、という構成を採用している。ロック部材は、縦枠に沿って上下方向にスライドするように構成され、障子を開いた状態で室内側から操作できるように取り付けられる。
【先行技術文献】
【特許文献】
【０００４】
【特許文献１】特開２０１２−１０２５０３号公報
【特許文献２】特開２０１５−２３２２１８号公報
【発明の概要】
【発明が解決しようとする課題】
【０００５】
前記特許文献に開示された網戸ロック手段は、いずれも構成部品の点数が多く、全体的に複雑で嵩張る構造を有している。したがって、部品の製造コストが嵩み、網戸やサッシ枠への組み付けやメンテナンスに手間がかかる。受け部材とロック部材との係合形態が複雑なので、それらの部材同士の位置合わせにも高い精度が求められる。障子と網戸とが室内外方向に接近して建て込まれるタイプのサッシには、スペース的に取り付けられない場合もある。
【０００６】
また、サッシ枠に取り付けられるロック部材が、障子の戸先部に呑み込まれるため、そのロック部材が障子の戸先部に取り付けられるタイト材等に干渉して、戸先部の水密性や気密性を損なうおそれがある。さらに、ロック部材がサッシ枠の枠内側に突出する形態で取り付けられるので、出入りの際に衣服等を引っ掛けるおそれもある。
【０００７】
そもそも、この種の網戸付きサッシにおいて、強度の小さい網戸自体は、防犯性能や防災性能に特段、寄与するものではない。したがって、網戸ロック手段を複雑で嵩張るものにするのは実用面でのメリットに乏しい。むしろ、網戸ロック手段は、例えば小さい子供がいたずらで開けて室外に出てしまうのを防ぐチャイルドロック程度の強度を想定するのが合理的であり、それに合わせて部品構成を簡素化、コンパクト化するのが好ましいと言える。
【０００８】
本願が開示する発明は、かかる着想に基づいてなされたものであり、従来よりもコンパクトな構造で、部品点数も少なくて済み、サッシ各部への組み付けも簡単になる網戸ロック手段を備えた網戸付きサッシを提供することを目的としている。
【課題を解決するための手段】
【０００９】
本願が開示する発明の網戸付きサッシは、サッシ枠の枠内に、障子および網戸が横引き可能に建て込まれて、前記網戸に取り付けられた受け部材と、前記サッシ枠に取り付けられたロック部材との係合によって前記網戸の移動が規制される網戸ロック手段を備えた網戸付きサッシであって、前記サッシ枠の縦枠の見込面には、前記網戸を閉じたときに前記網戸の戸先部に呑み込まれる網戸閉合フィンと、前記障子を閉じたときに前記障子の戸先部に呑み込まれる障子閉合フィンとが、前記サッシ枠の枠内側に張り出すようにそれぞれ設けられ、前記網戸の戸先部には、受け部材が前記網戸閉合フィンの室内側に突き出すように取り付けられる一方、前記網戸閉合フィンと前記障子閉合フィンとによって挟まれた前記縦枠の見込面には、前記受け部材に係脱し得るロック部材が取り付けられており、前記ロック部材が、前記障子を閉じた状態で、前記縦枠の見込面と前記障子の戸先部との隙間に納まるとともに、前記受け部材と前記ロック部材との係合部位が、前記網戸を閉じた状態で、前記縦枠の見込面と前記網戸の戸先部との隙間に納まるように形成されている、ものとして特徴づけられる。
【００１０】
すなわち、この発明は、サッシ枠側に配置されるロック部材を、網戸閉合フィンと障子閉合フィンとによって挟まれた縦枠の見込面に取り付けて、障子を閉じたときに縦枠の見込面と障子の戸先部との隙間に納めるとともに、網戸の戸先部に取り付けられる受け部材と、縦枠に取り付けられるロック部材とを、網戸閉合フィンの室内側で互いに係合させ、さらに、その係合部位を、網戸を閉じたときに縦枠の見込面と網戸の戸先部との隙間に納める、という基本的構成を採用したものである。これにより、受け部材とロック部材との係合によって構成される網戸ロック手段が、従来よりもはるかにコンパクトな構造になって、サッシ枠および網戸への組み付けが容易になり、その組み付けに要する部品点数も少なくなる。
【００１１】
さらに、本願が開示する発明の網戸付きサッシは、網戸ロック手段の具体的構成として、前記受け部材の先端は内側に向けて屈曲された受け片となされ、その受け片が前記網戸を閉じた状態で前記縦枠の見込面に当接するように形成される一方、前記ロック部材は、記縦枠の見込面に添設されるガイドピースと、前記ガイドピースに係合して上下方向に摺動するスライダとを具備し、前記スライダの室外側の縁部に沿って、前記受け部材の前記受け片に係脱可能な係合片が形成されている、との構成を採用する。これにより、受け部材とロック部材とを、簡素かつ合理的な形態で係脱させることができる。
【００１２】
前記網戸付きサッシにおいては、前記受け部材の前記受け片と前記ロック部材の前記スライダとの係合部位の横断面形状が上下方向について一様であり、前記ロック部材における前記ガイドピースと前記スライダとの係合部位の横断面形状が上下方向について一様であると、より好ましい。これによれば、受け部材とロック部材との上下方向の位置合わせにあまり高い精度が求められなくなるので、サッシ各部への組み付けが一層容易になる。
【００１３】
前記ロック部材の前記ガイドピースおよび前記スライダは、前記サッシ枠の枠内側から見たときに縦長矩形の外形をなし、前記スライダは、前記サッシ枠の枠内側に指掛り突起が形成されているものとすることができる。
【００１４】
また、前記ロック部材は、前記スライダを上昇させたときに前記受け部材に係合するように、前記縦枠に取り付けられていると、より好ましい。
【００１５】
また、前記受け部材は、前記網戸の戸先部に装着される取着基部を有し、前記取着基部が、前記網戸を閉じた状態で前記網戸閉合フィンに干渉しないように取り付けられているものとすることができる。
【００１６】
なお、この発明の網戸付きサッシが左右２枚の障子を具備する引違い方式のサッシである場合、「障子」とは、外障子または内障子の少なくともいずれか一方を意味し、「障子閉合フィン」とは、前記障子に対応する外障子閉合フィンまたは内障子閉合フィンの少なくともいずれか一方を意味する。そして、引違い方式のサッシにおいては、前記網戸の左右両側の戸先部に前記受け部材がそれぞれ取り付けられるとともに、前記サッシ枠の左右両側の縦枠に前記ロック部材がそれぞれ取り付けられているものとすることもできる。
【発明の効果】
【００１７】
前述のように構成される網戸付きサッシは、網戸の戸先部に取り付けられる受け部材と、サッシ枠の縦枠の見込面に取り付けられるロック部材とによって構成される網戸ロック手段を具備しており、そのロック手段が、コンパクトな構造で、部品点数も少なく、サッシに対して簡単に組み付けることができるように構成されている。かかる網戸ロック手段を採用することにより、網戸付きサッシの性能を低下させることなく、その使い勝手を少ない手間とコストで向上させることができるとともに、小さい子供が不用意に網戸を開けて室外に出るのを防ぐことができる。
【図面の簡単な説明】
【００１８】
【図１】本願が開示する発明が適用される網戸付きサッシの概略的構成を例示する横断面図であって、外障子を室内から見て右側に動かし、開放された左半部に網戸を配置した態様を示す図である。
【図２】同じく、網戸付きサッシの概略的構成を例示する横断面図であって、内障子を室内から見て左側に動かし、開放された右半部に網戸を配置した態様を示す図である。
【図３】図１中の丸囲み部分（Ｌ）に設けられる網戸ロック手段の要部を拡大して示す横断面図である。
【図４】前記網戸ロック手段の構成を示す斜視図である。
【図５】前記網戸ロック手段を構成するロック部材の斜視図である。
【図６】前記網戸ロック手段の使用態様を、図３中のＡ視点から見て示した説明図である。
【図７】図２の中の丸囲み部分（Ｒ）に設けられる網戸ロック手段の要部を拡大して示す横断面図である。
【図８】ロック部材の他の実施形態を示す斜視図である。
【発明を実施するための形態】
【００１９】
以下、本願が開示する発明の実施形態について、図面を参照しつつ説明する。
【００２０】
図１および図２は、本願が開示する発明が適用される網戸付きサッシの概略的構成を示す。この網戸付きサッシ１は、住宅の掃出し窓や腰窓等に設置される引違い方式のアルミサッシである。建物の外壁開口部に取り付けられたサッシ枠２は、上枠（図示せず）と、下枠（図示せず）と、左右の縦枠２１、２１とを枠組みして形成されている。サッシ枠２の枠内には、２枚の障子（外障子３、内障子４）と、網戸５とが、それぞれ横引き可能に取り付けられている。外障子３は、上框（図示せず）と、下框（図示せず）と、左側の戸先框３１と、右側の召合せ框３２とからなる框体の内側にガラス面材３０を嵌め込んで形成されている。内障子４は、上框（図示せず）と、下框（図示せず）と、右側の戸先框４１と、左側の召合せ框４２とからなる框体の内側にガラス面材４０を嵌め込んで形成されている。網戸５は、上框（図示せず）と、下框（図示せず）と、左右の戸先框５１、５１と、からなる網戸框体の内側に網５０を張設して形成されている。この網戸５は、室外側の見付面をサッシ枠２の室外側の見付面と略同面に揃えて建て込まれる、いわゆる面付け網戸である。
【００２１】
図１は、外障子３を室内から見て右側に動かし、開放された左半部に網戸５を配置した態様を示している。また、図２は、内障子４を室内から見て左側に動かし、開放された右半部に網戸５を配置した態様を示している。この網戸付きサッシ１は、前記いずれの態様でも網戸５を固定することができるように、図中の丸囲み部分（Ｌ、Ｒ）に網戸ロック手段がそれぞれ設けられている。なお、図１および図２中の符号２６、２７は、外障子３および内障子４を開いたときに、それらの召合せ框３２、４２と縦枠２１、２１との衝突を防ぐために下枠および上枠に取り付けられる樹脂製のストッパ（戸当り）である。
【００２２】
図３〜図６は、図１中の左側の丸囲み部分（Ｌ）に設けられる網戸ロック手段を示している。室内から見て左側の縦枠２１の見込面には、網戸閉合フィン２５と、外障子閉合フィン２３とが、それぞれ縦枠２１の略全高にわたって枠内側へ張り出すように設けられている。
【００２３】
網戸閉合フィン２５は、その先端の縁部が室内側へ横断面J字状に折り返されている。この網戸閉合フィン２５は、網戸５を閉じたときに、網戸５の戸先部（左側の戸先框５１の見込面に形成された凹部）に呑み込まれて、網戸５と縦枠２１との隙間を塞ぐとともに、網戸５の戸先框５１の凹部に取り付けられた引寄せブロック５２（図１参照）に接触して網戸５のガタツキを防ぐ。
【００２４】
外障子閉合フィン２３は、横断面が略直線状で、網戸閉合フィン２５よりも枠内側に大きく張り出している。この外障子閉合フィン２３は、外障子３を閉じたときに、外障子３の戸先部（戸先框３１の見込面に形成された凹部）に呑み込まれ、その戸先部に取り付けられた軟質樹脂製のタイト材３３に密着して外障子３と縦枠２１との隙間を塞ぐとともに、外障子３の戸先框３１の凹部に取り付けられた引寄せブロック（図示せず）に接触して外障子３のガタツキを防ぐ。
【００２５】
網戸ロック手段は、網戸５の戸先部に取り付けられた受け部材６と、サッシ枠２の縦枠２１に取り付けられたロック部材７と、を含んで構成される。
【００２６】
受け部材６は、網戸５の戸先框５１の凹部内に装着される取着基部６１から、網戸閉合フィン２５の室内側に突き出し、網戸閉合フィン２５の先端の折り返し部分に沿うようにして縦枠２１側へと延びている。受け部材６の先端は、室内側に向けて横断面Ｌ字状に屈曲された受け片６２となされ、この受け片６２が、網戸５を閉じると縦枠２１の見込面に当接するように形成されている。
【００２７】
受け部材６の取着基部６１は、網戸５の戸先框５１の凹部の奥に形成されたリップ付きの溝部５３内に挿入されており、その取着基部６１に戸先側から螺入した止めネジ５４を溝部５３の奥壁に押圧して固定されている。このようにして、受け部材６が室内側から操作しやすい適宜の高さに取り付けられる。小さい子供が不用意に開けることを防ぐ目的で設置する場合には、子供の手が届きにくい位置に取り付けることも、もちろん可能である。
【００２８】
ロック部材７は、縦枠２１の見込面に添設されるガイドピース７１と、ガイドピース７１に係合して上下方向に摺動するスライダ７３と、によって構成されている。
【００２９】
ガイドピース７１は、横断面がリップ付きの溝形をなすように形成された縦長矩形の部材である。サッシ枠２の枠内側（図３中のＡ視点）から見たときに、その正面に開口するガイド溝７２は、上下方向に等幅で延び、その下端は閉じて、上端が上向きに開口している。ガイドピース７１を枠内側から見たときの背面は平坦に形成されて、その背面が、網戸閉合フィン２５と外障子閉合フィン２３とによって挟まれた縦枠２１の見込面に取り付けられる。この取り付けには、例えば両面テープを用いることができる。
【００３０】
スライダ７３は、図５に示すように、サッシ枠２の枠内側から見たときの背面に、ガイドピース７１のガイド溝７２に係合し得る横断面略Ｔ字形の係合突部７４を有し、この係合突部７４をガイド溝７２に挿入させてガイドピース７１に係合されている。ガイド溝７２の下端が閉じて上端が開口しているため、スライダ７３はガイド溝７２から抜け落ちはせず、上方には抜き出し可能となっている。スライダ７３をサッシ枠２の枠内側から見たときの正面側には、スライダ７３を指先で上下動させるための指掛り突起７５が形成されている。また、スライダ７３の室外側の縁部は、ガイドピース７１よりもさらに室外側へ延び出すとともに、縦枠２１側に接近するように屈曲されて、受け部材６の受け片６２に係脱可能な係合片７６となされている。係合片７６の背面の上部および下部には、受け片６２に係合しやすくするための迎えテーパ７７が形成されている。このスライダ７３をガイド溝７２に沿って上昇させたときに、係合片７６が受け部材６の受け片６２に係脱するように、ロック部材７の取り付け高さが設定される。
【００３１】
このロック部材７は、ガイドピース７１にスライダ７３を係合させた状態での重なり厚さが、外障子閉合フィン２３の張り出し幅を超えず、外障子３を閉じたときに縦枠２１の見込面と外障子３の戸先部との隙間に納まるように、全体的に薄い形状に形成されている。そして、図に示すように、外障子３を開いて網戸５を閉じると、網戸５の戸先部から突出した受け部材６の受け片６２が、網戸閉合フィン２５よりも室内側で縦枠２１の見込面に当接する。この状態で縦枠２１に取り付けたロック部材７のスライダ７３を押し上げると、スライダ７３の室外側の縁部に形成された係合片７６が、受け部材６の受け片６２に係合して、網戸５が縦枠２１側に引き寄せられた状態に拘束される。このとき、受け部材６の受け片６２とスライダ７３の係合片７６との重なり厚さが、縦枠２１の見込面と、網戸５の戸先框５１の室内側の側縁部との隙間に納まるように、受け片６２および係合片７６が、どちらも薄い形状に形成されている。
【００３２】
本願が開示する発明に係る網戸ロック手段は、このように、網戸５の戸先部に取り付けられた受け部材６と縦枠２１に取り付けられたロック部材７とが、縦枠２１に設けられた網戸閉合フィン２５よりも室内側で互いに係合するように構成されている。つまり、受け部材６とロック部材７との係合部位が、網戸閉合フィン２５の室外側まで回り込まない。そして、ロック部材７の厚さが、外障子３を閉じた状態で縦枠２１の見込面と外障子３の戸先框３１との隙間に納まるとともに、受け部材６とロック部材７との係合部位の重なり厚さが、網戸５を閉じた状態で、縦枠２１の見込面と網戸５の戸先框５１との隙間に納まるので、網戸５や外障子３の開閉の妨げにならず、外障子３を閉めたときの水密性や気密性にも影響を及ぼさない。
【００３３】
この網戸ロック手段は、各部材が薄くてコンパクトな形状に形成されるので、部材点数が少なくて済み、製造コストが安価になる。網戸５やサッシ枠２への組み付けは、孔あけ等の特殊な加工を要しないので、取付位置に特段の制約を受けない。ロック部材７を縦枠２１に取り付けるのは両面テープでも可能なので、既設サッシへの後付けや、設置後の付替えも容易である。子供が成長するなどして必要性が低下すれば、跡を残さずに受け部材６やロック部材７を取り外すこともできる。
【００３４】
また、受け部材６とロック部材７との係合形態や、ロック部材７におけるガイドピース７１とスライダ７３との係合形態が簡素であり、各係合部位の横断面形状が上下方向について一様になるように形成されているので、受け部材６およびロック部材７の、上下方向の位置合わせに高い精度が要求されない。かくして、経済性および実用性に優れる網戸ロック手段が実現する。
【００３５】
なお、スライダ７３を上昇させたときに網戸５がロックされるようにしているのは、例えば居住者がサッシの室外側に設けられたバルコニーにいるとき、係合部位の摩耗や衝撃等によってスライダ７３が下降し、網戸５がロックされて居住者が室外に閉め出される、といった不測の事態を防ぐための安全設計である。
【００３６】
図７は、図２中の右側の丸囲み部分（Ｒ）に設けられる網戸ロック手段を示している。室内から見て右側の縦枠２１の見込面には、外障子閉合フィン２３に代えて内障子閉合フィン２４が設けられている。内障子閉合フィン２４は、外障子閉合フィン２３よりも室内側に設けられるので、網戸閉合フィン２５との間隔が広くなっている。これ以外は基本的に、前述した左側の網戸ロック手段の各構成部材を左右対称に配することで、右側の網戸ロック手段が構成される。左側の網戸ロック手段と右側の網戸ロック手段との間で、部材構成や作用効果に実質的な差異はないので、左側の網戸ロック手段と共通する部位、部材については共通の符号を付して、重複する説明は省略する。受け部材６およびスライダ７３は、左側の網戸ロック手段に用いられているものを上下反転させて取り付ければよいので、使用部品を共通化することができる。このように、本願が開示する発明に係る網戸付きサッシ１の網戸ロック手段は、引違い方式のサッシにおいても、左右ほぼ同じ構成で実施可能である。
【００３７】
以上に説明したように、本願が開示する発明に係る網戸付きサッシは、コンパクトな構造で、部品点数も少なく、サッシへの組み付けも簡単になる網戸ロック手段を備えるものである。この網戸ロック手段を採用することにより、網戸付きサッシの気密性や水密性を損なうことなく、少ない手間とコストで使い勝手を向上させることができるとともに、小さい子供が不用意に網戸を開けて室外に出るのを防ぐことができる。
【００３８】
なお、本願が開示する発明の技術的範囲は、例示した実施の形態によって限定的に解釈されるべきものではなく、特許請求の範囲の記載に基づいて概念的に解釈されるべきものである。本願が開示する発明の実施に際しては、特許請求の範囲において具体的に特定していない部材・部品の形状や構造、位置関係、係合形態等を、例示形態と実質的に同様の作用効果が得られる範囲内で適宜、改変して実施することができる。
【００３９】
例えば、ロック部材７のスライダ７３については、指掛り突起７５を図８に示すような形状に改変することもできる。また、ガイドピース７１とスライダ７３との係合形態や、スライダ７３と受け部材６との係合形態についても、スライダ７３が上下方向に円滑に摺動して、互いに無理なく係合し得るものであれば、例示形態に代わる適宜の形態を選択することができる。受け部材６を網戸５の戸先框５１に装着する形態についても、戸先框５１の断面形状等に応じて、適宜改変することが可能である。
【産業上の利用可能性】
【００４０】
本願が開示する発明は、住宅その他の居住用建物の居室に設けられる様々な網戸付きサッシに利用することができる。
【符号の説明】
【００４１】
１  網戸付きサッシ
２  サッシ枠
２１  縦枠
２３  外障子閉合フィン
２４  内障子閉合フィン
２５  網戸閉合フィン
２６  ストッパ（戸当り）
２７  ストッパ（戸当り）
３  外障子
３０  ガラス面材
３１  戸先框
３２  召合せ框
３３  タイト材
４  内障子
４０  ガラス面材
４１  戸先框
４２  召合せ框
５  網戸
５０  網
５１  戸先框
５２  引寄せブロック
５３  溝部
５４  止めネジ
６  受け部材
６１  取着基部
６２  受け片
７  ロック部材
７１  ガイドピース
７２  ガイド溝
７３  スライダ
７４  係合突部
７５  指掛り突起
７６  係合片
【図１】
2020066906.tif 000003
【図２】
2020066906.tif 000004
【図３】
2020066906.tif 000005
【図４】
2020066906.tif 000006
【図５】
2020066906.tif 000007
【図６】
2020066906.tif 000008
【図７】
2020066906.tif 000009
【図８】
2020066906.tif 000010